(57)【要約】【課題】  一般的なソフトコンタクトレンズを２本の指で挟む取り外し方法は、指の太さや爪の形状により取り外しが困難なことがあり、時に目を傷つけることもある。【解決手段】  レンズ接着部分が指より細く、レンズ素材に対する摩擦力を有し柔軟性のあるある素材で作られたトング型の器具であって、両面どちらからも使え、且つグリップ部分の内側にレンズ破損を防止するストッパーのある器具を提供することによって、ソフトコンタクトレンズの取り外し作業を簡便に安全に且つ衛生的に行えるようにする。片面からのみ使えるデザインにする場合は、グリップ部分に柔軟性のある帯を渡すことにより誤使用を防止し、安全性を確保する。【選択図】図１
2009069787.tif 000002
【特許請求の範囲】
【請求項１】
目に装着したソフトコンタクトレンズに接着してレンズを挟んで取り外す装置であって、Ｖ字或はＵ字形状をなしその両肢が横方向に弾性を持ち、両肢の先端のレンズを挟む部分に左右一対の柔軟性と摩擦力を有する素材を使用した、指をレンズに触れることなく外せる器具。
【請求項２】
レンズに接着する左右の一対の部分が丸みを帯びた立体で、その接着面に線状、ドットその他の形状をした凹凸がある、請求項１記載のソフトコンタクトレンズ取り外し具。
【請求項３】
本器具を平面に置いてレンズ接着部分側から水平に見た際、双方が互いに左右対称で、各々が上下対称のレンズ接着面を有する請求項２記載のソフトコンタクトレンズ取り外し具。
【請求項４】
本器具を平面に置いてレンズ接着部分側から水平に見た際、双方が互いに左右対称で、各々が上下非対称の形状をしており、手で握る部分に柔軟性のある帯を渡した請求項２記載のソフトコンタクトレンズ取り外し具。
【請求項５】
手で握る部分の内側に突起がある、請求項１記載のソフトコンタクトレンズ取り外し具。
【発明の詳細な説明】
【技術分野】
【０００１】  本考案は、目に装着したソフトコンタクトレンズの取り外し器具に関する。
【背景技術】
【０００２】  従来、ソフトコンタクトレンズを外す際は主に親指と人差し指を使い、目に装着されたレンズ下部を直接挟みつまみ取る方法でなされる。【０００３】  また、上下の瞼に添えて瞼の上からレンズを上下方向から挟むことによって、直接指で触れずにレンズを外せる器具がある。その他に、カップに入った専用の液体に目を接着させてレンズを外す方法及び液体の特許出願がなされている（例えば特開平１６−２６９５０８、出願番号：２００３−４２８９０３。）。
【発明の開示】
【発明が解決しようとする課題】
【０００４】  指で直接レンズを挟む方法では、個人の目のサイズやカーブ及び瞼の形状、指の太さや爪の大きさや形状によっては取り外しづらく、指や爪がレンズからはみだして目に直接触れたり、爪で眼球を傷つけてしまう危険もある。また、爪を伸ばしていたり、指に怪我をして絆創膏を貼っている際等は取り外しがさらに困難となるだけでなく、手洗いが十分にできず、非衛生的である。【０００５】  市販されている他のソフトレンズ取り外し器具である、瞼の上からレンズの上下を抑えながら、レンズの端から押すことによりレンズの中央部分を浮き上がらせるて取り外す器具は、レンズに直接触れないので爪がのびていても使えるし衛生面でも優れている。しかし、使い捨てレンズの様に極薄のレンズではより強い挟む力が必要となり、目を圧迫してしまうこともある。【０００６】  カップに入った液体に目を接着させてレンズを取り外す方法では、化粧をしている女性等は洗顔後でなくては使用できず不便さが残る。
【課題を解決するための手段】
【０００７】  指のかわりに器具を使って指がレンズに直接触れることなしに、簡単に衛生的に安全にソフトコンタクトレンズを目から外す。【０００８】  この器具は、Ｖ字或はＵ字の２肢の先端につけられた、ソフトコンタクトレンズ素材であるシリコーンハイドロゲル等に対する摩擦力と柔軟性を兼ね備えた素材でできた立体的な部位をソフトレンズに接着させて、本体を握ることにより左右から中心に向けてスライドさせてソフトレンズを挟み取ることによりソフトレンズを外すことができるものである。加えてこの器具は、レンズとの接着部分が指より細い、レンズ接着部分がそれぞれ上下対称である、グリップ内部に突起を有する、という特徴を有する。また、レンズ接着部分が上下非対称のものは上述に加えてグリップ部分に柔軟性のある帯を渡してあるという特徴を有する。
【発明の効果】
【０００９】  本考案器具は、指でレンズを直接挟んでつまみ出す方法が持つ長所を保ちつつ、同方法の短所を解決し、その上で簡便性と安全性、衛生性を追加したものである。【００１０】  指でつまみ出す方法の持つ長所とは、指先に弾力性があり、指紋という凹凸による摩擦力により、レンズに擦過等による傷が付きにくい点である。本考案器具は、レンズ接着面に、柔軟性とシリコーンハイドロゲル等のソフトコンタクトレンズ素材に対する摩擦力を有する素材（例えば天然ゴム、シリコンゴムやエポキシ樹脂等の合成樹脂）を使用し、表面に凹凸を作ることによって、指と同じ効果をもつ。【００１１】  指でレンズをつまむ方法の持つ短所は、前述のように、指の太さや爪の大きさ、形状により指がレンズからはみ出てうまくレンズを掴めないことや、爪で目をひっかいてしまうこと、また不十分な手洗いによる衛生面での問題である。本考案器具は、レンズを挟む部分が指より細いため、容易に器具接着面をレンズ内におさめることができるし、指が直接レンズや目に触れることがないので、不十分な手洗いによる衛生面での問題もない。【００１２】  更に本考案器具は、二つのレンズ接着部分がそれぞれ上下対称の形状である（本器具を平面に置いて接着部分側から水平に見た際の上下）ため、上下のどちらでもレンズに接着させて使え、上下誤使用の心配もない。デザイン性を優先する等でレンズ接着部分の形状が上下非対称となる場合は、グリップ部分に柔軟性のある帯を渡すことによって使用面の誤りを防止できる。また、グリップ内側の突起が過度の挟む力によるレンズの破損を防止する。【００１３】  以上のように、従来ソフトコンタクトレンズの取り外しが困難であった場合や、なんらかの不便さを感じていた場合に、この器具によって簡単に外せるという効果がある。特に、厚みが大変薄く目への密着度が高い使い捨てソフトレンズや、パソコン作業等でドライアイぎみの時などは、より効果が高い。また、眼科やレンズ製造会社の大半が指導してる取り外し方法とほぼ同じ動作であるため、なんら技術を習得することなしに使用できる。
【発明を実施するための最良の形態】
【００１４】本考案器具の実施形態を図を使って説明する。【００１５】  本考案器具は、レンズ接着部分が柔軟性とソフトコンタクトレンズ素材に対する摩擦力のある素材で作られたソフトレンズリムーバーで、トングやピンセットの要領でレンズを挟み取ることにより、指で直接レンズに触れずに目から外す器具である。図１と図８は平面に置いた本器具を上から見た図であり、図２、図３及び図９は、図１に表記されたＡ方向から水平に見た図である。以下図を使って各部の素材・形状・役割について説明する。【００１６】  図１の３は手で握る部分で、トングやピンセットのような弾性を持つ。実施例ではスティールを使用したが、プラスチック等のその他の素材でもある程度硬質であれば良い。１と２の芯の部分まで延ばして、握る力がレンズ接着面に伝わりやすくする。握る際に１と２がずれない程度に幅と厚みを持たせる。【００１７】  図１の１及び２は、天然ゴムやシリコンゴムといった、柔軟性と、シリコーンハイドロゲル等のソフトコンタクトレンズ素材に対する摩擦力を持つ素材を使用する。丸みを帯びた立体で左右対称の形状をなし、レンズに触れてから挟んで目から離すに従ってレンズとの接着面が移動し（レンズにあてるステップでは図２の１ａと２ａ部分がレンズに接着し、挟んで取る時には図２の１ｂと２ｂ部分がレンズと接着する。）、レンズと接着面が擦られずレンズに傷がつきにくい（指と同じ効果）。実施例図では丸みを帯びた傾斜がわずかな台形だが、楕円や丸みを帯びた他の形状でも背中でも良い。１と２共に上下にも左右対称形をなし、器具の上下どちらからでも使用できる。【００１８】  図１の４と５は３を握った際に衝突することによって、レンズが折り重なって破損することを防ぐストッパーとなる部分である（図３参照）。実施例は一対としているが、グリップ部分の片方だけに倍の幅の突起をひとつ付けても良い。本部分は柔軟性は必ずしも必要でない。尚、一日使い捨てレンズ用の器具には同部分はつけなくても良い。【００１９】  図８の６は、図１のＡ方向から見たときに１と２が上下非対称の形状のもののとき（例えば器具全体のデザイン性を重視したい場合）にグリップ部分に渡すもので、柔軟性のある帯状の形をしている。これにより上下の区別がつきやすくなるだけでなく、もし上下逆さにして１と２をレンズにあてようとすると、１と２が互いに接近することにより６がせりあがり顔にあたって邪魔になることから物理的にも誤使用を防止できる。従って、１と２が上下対称でどちらからも使えることを目的としている際は６はつけてはならない。
【実施例】
【００２０】実施例（用法）を図をもとに説明する。【００２１】  図４〜図６は使用時に上から見た断面図である。便宜上４と５は省略している。【００２２】  少し上目加減にして（このステップは従来の指で外す方法と同様）、本器具を握っていない方の手の指で下瞼を下げる（従来の指で外す方法では、レンズを外す方の手の中指で下瞼を下げるように指導されていることが多い）。３を握り、１と２の根元部分に親指と人差し指をあてて、１と２の間を狭め、図４のように１ａと２ａをレンズＳＬからみ出さないようにしてのせる。尚、一連の作業時小指の背を口元に当てて手を固定すると安定する。次に、目に圧をかけることなくそのまま１と２を中央に向けて横にスライドするように３を更に握りる。すると図５のようにレンズ中央部分がせりあがり、図の６のように器具とレンズの接着部分が１ａと２ｂへ移動し、レンズが目から離れる。この時、握る力が強すぎると４と５が衝突し、レンズの破損を防ぐ（図７参照。）。
【図面の簡単な説明】
【００２３】
【図１】  本考案器具を平面に置いて上から見た全体図
【図２】  本器具を図１のＡ方向から見た図。便宜上、３の底部分を省略し、４と５を大きめに表記。
【図３】  図２と同様で、且つ３部分を指で挟んで力を加えた際の図。３の底部分を省略。
【図４】  目に装着したレンズに本器具を接着した状況を上から見た断面図。３の底部分及び４と５を省略。
【図５】  図４から図１の３部分をさらに握り、レンズ中央がせりあがって目から離れ始めた状態の断面図。３の底部分及び４と５を省略。
【図６】  レンズが完全に目から離れた状態の断面図。３の底部分及び４と５を省略。
【図７】  外し終わったレンズと器具の図
【図８】  １と２の形状が図１のＡ方向から見て上下非対称な器具にした場合に、３に帯を渡した本器具を平面図に置いて上から見た全体図。４と５は６の下にあるので本図では見えない。
【図９】  図８の器具を、図１のＡ方向から見た図。３、４、５を省略。
【符号の説明】
【００２４】  １ａ、１ｂ、２ａ、２ｂ          レンズに接着する部分
３                              手で握るグリップ部分
４と５                          ３を握った際衝突し、握り過ぎを防ぐ部分
６                              グリップに渡した帯（１と２各々の断面が上下非対称の場合のみ付ける）
ＳＬ                            ソフトコンタクトレンズ
ＳＬａ、ＳＬｂ、ＳＬｃ、ＳＬｄ  本考案器具と接するレンズ箇所
Ｅ                              目
【図１】
2009069787.tif 000003
【図２】
2009069787.tif 000004
【図３】
2009069787.tif 000005
【図４】
2009069787.tif 000006
【図５】
2009069787.tif 000007
【図６】
2009069787.tif 000008
【図７】
2009069787.tif 000009
【図８】
2009069787.tif 000010
【図９】
2009069787.tif 000011